(57)【特許請求の範囲】
【請求項１】
空洞を排出するための出口弁が設けられる放出端部を有する前記空洞を画定するために共に接合される側縁を有する可撓性シート材料の対の側壁を備え、また、前記側壁も、中央領域の全体にわたって共に接合されて、前記側壁により形成される前記空洞が前記中央領域を完全に囲繞し、前記中央領域は、周辺縁を画定し、前記放出端部が折り畳まれる際に前記出口弁を収容するように前記周辺縁の内側に、前記中央領域を前記側壁の一方から他方に向かって貫通する少なくとも１つの開口部を有する、排出可能パウチ。
【請求項２】
可撓性シート材料の前記対の側壁は、前記空洞を形成する本体部分を画定し、前記空洞の前記放出端部は、前記本体部分と一体的に形成され、かつ前記本体部分から延出する管状首部分を備える、請求項１に記載の排出可能パウチ。
【請求項３】
前記放出端部は、前記中央領域における前記開口部が前記出口弁を収容できるように前記出口弁を概して前記中央領域に隣接させるために、前記本体部分に重なるように前記側壁のうちの１つに向かって折り畳み可能である、請求項１に記載の排出可能パウチ。
【請求項４】
前記側縁および中央領域は、溶接することによって共に接合され、前記中央領域における前記少なくとも１つの開口部は、前記本体部分の長手方向軸に概して垂直に前記側壁を貫通するスリットを含む、請求項２に記載の排出可能パウチ。
【請求項５】
前記側縁および中央領域は、溶接することによって共に接合され、前記中央領域における前記少なくとも１つの開口部は、前記放出端部が折り畳まれた後に前記出口弁を収容および固定するためのストリップを形成する一対の穴を含む、請求項２に記載の排出可能パウチ。
【請求項６】
前記空洞の前記放出端部を備える前記管状首部分は、剛性材料から形成され、かつ前記空洞を排出するための前記開口部内において封止される前記出口弁を収容するための開口部を画定する、請求項２に記載の排出可能パウチ。
【請求項７】
空洞を排出するための出口弁が設けられる放出端部を含む前記空洞を有する本体部分を画定するために共に溶接される側縁を有する可撓性シート材料の対の側壁を備え、前記放出端部は、前記本体部分と一体的に形成され、かつ前記本体部分から延出する管状首部分を備え、前記本体部分に重なるように前記側壁のうちの１つに向かって折り畳み可能であり、また、前記側壁も、前記本体部分の中央領域の全体にわたって共に溶接されて、前記本体部分により形成される前記空洞が前記中央領域を完全に囲繞し、前記中央領域は、前記空洞に直面する内側周辺縁を画定し、前記放出端部が折り畳まれる際に前記出口弁を収容するように前記周辺縁の内側に、前記中央領域を前記側壁の一方から他方に向かって貫通する少なくとも１つの開口部を有する、排出可能パウチ。
【請求項８】
前記中央領域における前記少なくとも１つの開口部は、前記本体部分の長手方向軸に概して垂直に前記側壁を貫通するスリットを含む、請求項７に記載の排出可能パウチ。
【請求項９】
前記中央領域における前記少なくとも１つの開口部は、前記放出端部が折り畳まれた後に前記出口弁を収容および固定するためのストリップを形成する対の穴を含む、請求項７に記載の排出可能パウチ。
【請求項１０】
前記管状首部分は、前記出口弁を収容するための開口部を画定し、前記出口弁は、剛性材料から形成され、かつ前記開口部内において封止される、請求項７に記載の排出可能パウチ。
【請求項１１】
空洞を排出するための出口弁が設けられる放出端部を含む前記空洞を有する本体部分を画定するために共に溶接される側縁を有する可撓性シート材料の対の側壁を備え、前記放出端部は、前記本体部分と一体的に形成され、かつ前記本体部分から延出する管状首部分を備え、前記本体部分に重なるように前記側壁のうちの１つに向かって折り畳み可能であり、前記管状首部分は、前記出口弁を収容するための開口部を画定し、前記出口弁は、剛性材料から形成され、前記開口部内において封止される第１の部分と、そこから突出する第２の管状部分とを有し、また、前記側壁も、前記本体部分の中央領域の全体にわたって共に溶接されて、前記本体部分により形成される前記空洞が前記中央領域を完全に囲繞し、前記中央領域は、前記空洞に直面する内側周辺縁を画定し、前記周辺縁の内側に、前記中央領域を前記側壁の一方から他方に向かって貫通する少なくとも１つの開口部を有し、前記中央領域における前記開口部および前記剛性出口弁は、前記放出端部が前記本体部分に重なるように折り畳まれる際に前記開口部が前記出口弁を収容および固定できるように、概して前記本体部分の長手方向軸に沿って、または長手方向軸に平行して存在する、排出可能ウロストミーパウチ。
【請求項１２】
前記中央領域における前記少なくとも１つの開口部は、前記本体部分の長手方向軸に概して垂直に前記側壁を貫通するスリットを含む、請求項１１に記載の排出可能ウロストミーパウチ。
【請求項１３】
前記中央領域における前記少なくとも１つの開口部は、前記放出端部が折り畳まれた後に前記出口弁を収容および固定するためのスリットを形成する対の穴を含む、請求項１１に記載の排出可能ウロストミーパウチ。
【請求項１４】
前記出口弁の前記第１の部分は、概して細長い断面を有し、前記出口弁の前記第２の部分は、概して円形の断面を有する、請求項１１に記載の排出可能ウロストミーパウチ。
【請求項１５】
前記中央領域は、形状が概して長方形であり、前記管状首部分により画定される前記開口部の幅に概して対応する幅を有する、請求項１１に記載の排出可能ウロストミーパウチ。
【請求項１６】
前記中央領域および前記対の穴間に前記ストリップを形成する前記穴は、前記穴を完全に囲繞する溶接外周領域として前記中央領域を画定するように概して長方形である、請求項１３に記載の排出可能ウロストミーパウチ。
【請求項１７】
前記放出端部が折り畳まれた後に前記ストリップが前記出口弁を固定できるように、前記穴は、前記出口弁の前記管状部分の直径よりも大きい幅を有する、請求項１６に記載の排出可能ウロストミーパウチ。
【発明の詳細な説明】
【技術分野】
【０００１】
本開示は、液体または半固体体内排泄物の回収のためのパウチに関し、より具体的には、液体または半固体体内排泄物の回収中に閉鎖し、その後開放および排出することができる排出可能パウチに関する。
【背景技術】
【０００２】
液体または半固体体内排泄物の回収のための排出可能パウチは、周知であり、典型的には、その縁に沿って共に固定される平坦な対向して、回収空洞を画定する、側壁を含む。側壁のうちの１つには、ストーマを収容するための開口部が設けられ、連結フランジ等の手段が、患者のストーマを囲繞するように載置される接着障壁にパウチを固定するために設けられ、ストーマから放出される体内排泄物が、空洞内に収容されるようにする。その下側端部において、排出可能パウチは、典型的には、放出開口部を有し、これは、ストーマを通過する液体または半固体体内排泄物の回収中に閉鎖し得るが、パウチから体内排泄物を排出するために開放し得る。理解されるように、排出可能パウチには、典型的には、放出開口部のための蓋が設けられ、この蓋は、体内排泄物の漏出を防止する役割を果たす限り、多数の異なる形式をとってもよい。
【０００３】
排出可能パウチは、典型的には、体内排泄物を周期的に除去した後に再利用可能であるが、再封止されたパウチから臭気または含有物が流出または漏出しないように、効果的な封止をパウチに設けることが重要である。この要件は、直接放出開口部を通して、またはパウチの放出開口部に固定方式で補助排出デバイスを連結することによって、パウチが容易にかつ便利に排出可能になるという必要性に結び付けられる。排出可能パウチの使用者は、しばしば、パウチの開封、除去、および再封止時に困難および不快感に直面し、これは、多くの患者が有するよりも多くの器用さを必要とする排出システムおよび操作の性質に起因する。
【０００４】
加えて、排出可能パウチは、ある時間の間体内排泄物を蓄積した後に、しばしば嵩高となる。これは、通常は平坦なパウチの側壁は、体内排泄物が蓄積すると外側に容易に拡張するような薄いフィルムから形成されることから、液体および半固体の両方の体内排泄物に当てはまる。さらに、これらのパウチは、しばしば、排出可能パウチの放出開口部に伴って剛性出口弁を含む。
【０００５】
これらの剛性出口弁は、典型的には、放出開口部内に封止され、回収デバイスへの連結のための管状継ぎ手を含む。しかしながら、このような出口弁は、このような排出可能パウチを使用する個人の皮膚に接触すると、かなりの不快感または痛みを引き起こす可能性がある。したがって、見た目には無関係な、排出可能パウチが嵩高となることと剛性出口弁からユーザを保護することに関する問題に対処する必要性がある。
【発明の概要】
【０００６】
本開示は、排出するための出口弁が設けられる放出端部を有する空洞を画定するために共に接合される側縁を有する可撓性シート材料の対の側壁から構成される排出可能パウチに関する。側壁もまた、側壁により形成される空洞が中央領域を完全に囲繞するように、その中央領域の全体にわたって共に接合される。この構成により、中央領域は、周辺縁を画定し、放出端部が折り畳まれる場合に出口弁を収容するように周辺縁の内側に離間した位置に少なくとも１つの開口部を有する。
【０００７】
１つの例示的実施形態では、可撓性シート材料の対の側壁は、好ましくは、空洞を形成する本体部分を画定する。有利には、空洞の放出端部は、本体部分と一体的に形成され、かつ本体部分から延出する管状首部分を備え、放出端部は、側壁のうちの１つに向かって、概して長手方向に沿って、または長手方向に平行に折り畳み可能であり、それによって本体部分に重なるようにされる。放出端部を折り畳んだ後、出口弁は、出口弁をその中に収容することができるように、中央領域における開口部に概して隣接する。
【０００８】
一実施形態では、側縁および中央領域は、溶接され、中央領域における少なくとも１つの開口部は、本体部分の長手方向軸に概して垂直に側壁を貫通するスリットを含む。別の実施形態では、側縁および中央領域は、溶接され、中央領域における少なくとも１つの開口部は、放出端部が折り畳まれた後に出口弁を収容および固定するためのストリップを形成する一対の穴を含む。
【０００９】
本開示の排出可能パウチでは、空洞の放出端部を備える管状首部分は、出口弁を収容するための開口部を画定する。さらに、出口弁は、空洞を排出するための開口部内において封止される剛性材料から形成されてもよく、また、出口弁は、好ましくは、開口部内において封止される第１の部分と、そこから突出し、かつ回収デバイスに連結可能である第２の管状部分または継ぎ手とを含むように形成される。加えて、出口弁の第１の部分は、概して細長い断面を有してもよく、出口弁の第２の管状部分は、概して円形の断面を有してもよい。
【００１０】
本開示の他の利点および特徴は、添付の図面と併用して以下の明細から明らかになる。
【図面の簡単な説明】
【００１１】
【図１】本開示に従う排出可能パウチの第１の実施形態の正面図である。
【図１Ａ】図１に類似する図であるが、排出可能パウチの開口部内に出口弁が収容されている。
【図１Ｂ】図１Ａに類似する図であるが、実質的に充填された状態における排出可能パウチを示す。
【図２】図１に図示する排出可能パウチの第１の実施形態の背面図である。
【図２Ａ】図２に類似する図であるが、排出可能パウチにの開口部内に出口弁が収容されている。
【図２Ｂ】図２Ａに類似する図であるが、実質的に充填された状態における排出可能パウチを示す。
【図３】本開示に従う排出可能パウチの第２の実施形態の正面図である。
【図３Ａ】図３に類似する図であるが、排出可能パウチの開口部内に出口弁が収容されている。
【図３Ｂ】図３Ａに類似する図であるが、実質的に充填された状態における排出可能パウチを示す。
【図４】図３に図示する排出可能パウチの第２の実施形態の背面図である。
【図４Ａ】図４に類似する図であるが、排出可能パウチの開口部内に出口弁が収容されている。
【図４Ｂ】図４Ａに類似する図であるが、実質的に充填された状態における排出可能パウチを示す。
【図５】本開示に従う排出可能パウチの第３の実施形態の背面図である。
【図５Ａ】図５に類似する図であるが、排出可能パウチの開口部内に出口弁が収容されている。
【図６】図５に図示する排出可能パウチの第３の実施形態の背面図である。
【図６Ａ】図６に類似する図であるが、排出可能パウチの開口部内に出口弁が収容されている。
【図７】概して図１の線７〜７に沿った断面図であり、第１の実施形態の側壁溶接部を図示する。
【図８】概して図３の線８〜８に沿った断面図であり、第２の実施形態の側壁溶接部を図示する。
【図９】概して図５の線９〜９に沿った断面図であり、第３の実施形態の側壁溶接部を図示する。
【図１０】概して図１の線１０〜１０に沿った断面図であり、パウチの放出端部における出口弁を図示する。
【発明を実施するための形態】
【００１２】
提示される種々の図面において、まず図１および図２を参照すると、本開示に従う排出可能パウチの第１の実施形態は、概して、参照数字１０によって示される。排出可能パウチ１０は、その間の空洞２２（図７参照）を画定するように２０において溶接することによってパウチの外周の周囲で共に接合される側縁１６および１８を有する可撓性シート材料の対の側壁１２および１４から形成される。さらに、側壁１２および１４により形成される空洞２２は、２４において放出端部を有し、放出端部には、空洞２２から、その中に回収された液体または半固体体内排泄物を排出するための出口弁２６が設けられる。
【００１３】
図１、図２、および図７を参照すると、側壁１２および１４により形成される空洞２２が、２８における溶接により画定される中央領域３０を完全に囲繞するように、側壁１２および１４が、その中央領域３０の全体にわたって２８において溶接することによって共に接合されることが分かる。この構成により、２８における溶接により画定される中央領域３０は、空洞２２に対向する内側周辺縁２８ａを形成し、また、放出端部２４が折り畳まれる場合に出口弁２６を収容するように内側周辺縁２８ａの内側に位置するスリットまたはスロット３２等の少なくとも１つの開口部も有する（図１Ａおよび図２Ａ参照）。
【００１４】
理解されるように、可撓性シート材料の側壁１２および１４の対は、好ましくは、空洞２２を形成する本体部分３４を画定する。次いで、空洞２２の放出端部２４は、本体部分３４と一体的に形成され、かつ本体部分３４から延出する管状首部分３６を有利に備え得る。このように形成される場合、放出端部２４は、本体部分３４に重なるように側壁１２および１４のうちの１つに向かって、概して長手方向軸３８に沿って、または長手方向軸３８に平行に折り畳み可能である。
【００１５】
放出端部２４が折り畳まれた後、出口弁２６は、概して、中央領域３０における開口部またはスリット３２に隣接して、図１Ａおよび図２Ａに示すように、出口弁２６をその中に収容および保管することができる。出口弁２６が、概して本体部分３４の長手方向軸３８に沿って、または長手方向軸３８に平行して位置すること、ならびにスリット３２が、概して本体部分３４の長手方向軸３８に垂直に側壁１２および１４を貫通することを図面から理解されたい。好ましくは、出口弁２６は、側壁１２および１４の軟性で可撓性の材料とは対照的に剛性材料から形成され、放出端部２４における開口部４０において封止される（図１０参照）。
【００１６】
図１、図２、および図１０を参照すると、出口弁２６は、好ましくは、放出端部２４における開口部４０内において封止される第１の部分２６ａと、かかり付き継ぎ手の形式をとり得る第２の管状部分２６ｂとを含む。また、出口弁２６は、弁を開放および閉鎖するための回転可能フランジ２６ｃも含み得る。この構成により、可撓性の管をかかり付き継ぎ手の上に挿入して、空洞２２の含有物を回収デバイスに排出することができるように、第２の管状部分２６ｂが第１の部分２６ａから突出することを理解されたい。
【００１７】
図１０に示すように、出口弁２６の第１の部分２６ａは、概して、細長い断面を有し得る。次いで、概して細長い第１の部分２６ａは、開口部４０内に位置付けられ、空洞２２の放出端部２４における可撓性シート材料は、概して細長い第１の部分２６ａに封止され得る。図１および図２を参照すると、出口弁２６の第２の管状部分２６ｂは、概して円形の断面を有し得る。
【００１８】
図３および図４を参照すると、多くの点において図１および図２の実施形態に類似する排出可能パウチの第２の実施形態は、概して、参照数字１０’によって示される。排出可能パウチ１０’は、その間の空洞２２’（図８参照）を画定するように２０’において溶接することによってパウチの外周の周囲で共に接合される側端１６’および１８’を有する可撓性シート材料の対の側壁１２’および１４’から形成される。さらに、側壁１２’および１４’により形成される空洞２２’は、放出端部２４’を有し、放出端部２４’には、空洞２２’から液体または半固体体内排泄物を排出するための出口弁２６’が設けられる。
【００１９】
図３、図４、および図８を参照すると、側壁１２’および１４’により形成される空洞２２’が、２８’における溶接により画定される中央領域３０’を完全に囲繞するように、側壁１２’および１４’が、その中央領域３０’の全体にわたって２８’において溶接することによって共に接合されることが分かる。この構成により、２８’における溶接により画定される中央領域３０’は、空洞２２’に対向する内側周辺縁２８ａ’を形成するが、放出端部２４’が折り畳まれる場合に出口弁２６’を収容するように内側周辺縁２８ａ’の内側に穴３２’等の対の開口部を有する（図３Ａおよび図４Ａ参照）。
【００２０】
対の穴３２’を形成することによって、２８’における溶接は、穴３２’の間に中央溶接ストリップ２８ｂ’をもたらし、これは、以下により詳細に説明する方式で、出口弁２６’と連動する。
【００２１】
理解されるように、可撓性シート材料の側壁１２’および１４’ の対は、好ましくは、空洞２２’を形成する本体部分３４’を画定する。次いで、空洞２２の放出端部２４’は、本体部分３４’と一体的に形成され、かつ本体部分３４’から延出する管状首部分３６’を有利に備える。このように形成される場合、放出端部２４’は、本体部分３４’に重なるように側壁１２’および１４’のうちの１つに向かって、概して長手方向軸３８’に沿って、または長手方向軸３８’に平行に折り畳み可能である。
【００２２】
放出端部２４’が折り畳まれた後、出口弁２６’は、概して、中央領域３０’における穴３２’に隣接して、図３Ａおよび図４Ａに示すように、出口弁２６’をその中に収容および保管することができる。出口弁２６’が、概して本体部分３４’の長手方向軸３８’に沿って、または長手方向軸３８’に平行して位置すること、ならびに穴３２’が、概して本体部分３４’の長手方向軸３８’に垂直に側壁１２’および１４’を貫通することを図面から理解されたい。好ましくは、出口弁２６’は、側壁１２’および１４’の軟性で可撓性の材料とは対照的に剛性材料から形成され、放出端部２４’における４０（図１０参照）等の開口部において封止される。
【００２３】
図３および図４の実施形態に関し、出口弁２６’は、好ましくは、図１、図２、および図１０に図示する出口弁２６と同一である。具体的には、出口弁２６’は、好ましくは、第１の部分２６ａ（図１０）に類似または同一であり、かつ放出端部２４’における４０（図１０）等の開口部内において封止される第１の部分２６ａ’と、かかり付き継ぎ手の形式をとり得る第２の管状部分２６ｂ’とを含み、また、出口弁２６’は、弁を開放および閉鎖するために設けられる回転可能フランジ２６ｃ’も有利に含み得る。この構成により、可撓性の管をかかり付き継ぎ手の上に挿入して、空洞２２’の含有物を回収デバイスに排出することができるように、第２の管状部分２６ｂ’が第１の部分２６ａ’から突出することを理解されたい。
【００２４】
出口弁２６’の第１の部分２６ａ’は、概して、４０（図１０）等の開口部内に位置付けられ得る細長い断面を有し得る。空洞２２’の放出端部２４’における可撓性シート材料は、概して細長い第１の部分２６ａ’に封止され得る。さらに、出口弁２６’の第２の管状部分２６ｂ’は、概して円形の断面を有し得る。
【００２５】
図５および図６を参照すると、多くの点において図１および図２の実施形態に類似する排出可能パウチの第３の実施形態は、概して、参照数字１０”によって示される。排出可能パウチ１０”は、その間の空洞２２”（図９参照）を画定するように２０”において溶接することによってパウチの外周の周囲で共に接合される側端１６”および１８”を有する可撓性シート材料の対の側壁１２”および１４”から形成される。さらに、側壁１２”および１４”により形成される空洞２２”は、２４”において放出端部を有し、放出端部には、空洞２２”から、その中に回収された液体または半固体体内排泄物の排出するための出口弁２６”が設けられる。
【００２６】
図５、図６、および図９を参照すると、側壁１２”および１４”により形成される空洞２２”が、２８”における溶接により画定される中央領域３０”を完全に囲繞するように、側壁１２”および１４”が、その中央領域３０”の全体にわたって２８”において溶接することによって共に接合されることが分かる。この構成により、２８”における溶接により画定される中央領域３０”は、空洞２２”に対向する内側周辺縁２８ａ”を形成するが、放出端部２４”が折り畳まれる場合に出口弁２６”を収容するように内側周辺縁２８ａ”の内側に位置するスリット３２”等の少なくとも１つの開口部も有する（図５Ａおよび図６Ａ参照）。
【００２７】
理解されるように、スリット３２”は、図１におけるスリット３２全体に対応する第１の部分３２ａ”を有し、また、概して本体部分３４”の長手方向軸３８”に沿って、または長手方向軸３８”平行して、かつ放出端部２４”が折り畳まれる前に出口弁２６”の第２の管状部分２６ｂ”と整合して、第１の部分に対して横断する第２の部分３２ｂ”も有する。この構成により、図１におけるスリット３２の場合よりも、放出端部２４”が折り畳まれた後にスリット３２”内に出口弁２６”を収容することが容易になり得ることが理解され、これは、かかり付き継ぎ手を有する出口弁２６”の第２の管状部分２６ｂ”が、より容易にスリット３２”を通過して、スリット３２”の整合された第２の部分３２ｂの結果として、図５Ａおよび図６Ａに示す位置に存在することができるからである。
【００２８】
理解されるように、可撓性シート材料の対の側壁１２”および１４”は、好ましくは、空洞２２”を形成する本体部分３４”を画定する。次いで、空洞２２”の放出端部２４”は、本体部分３４”と一体的に形成され、かつ本体部分３４”から延出する管状首部分３６”を有利に備える。このように形成される場合、放出端部２４”は、本体部分３４”に重なるように側壁１２”および１４”のうちの１つに向かって、概して長手方向軸３８”に沿って、または長手方向軸３８”に平行に折り畳み可能である。
【００２９】
放出端部２４”が折り畳まれた後、出口弁２６”は、概して、中央領域３０”におけるスリット３２”に隣接して、図５Ａおよび図６Ａに示すように、出口弁２６”をその中に収容および保管することができる。出口弁２６”が、概して本体部分３４”の長手方向軸３８”に沿って、または長手方向軸３８”に平行して位置すること、ならびにスリット３２”が、前述のように側壁１２”および１４”を貫通することが図面から理解される。好ましくは、出口弁２６”は、側壁１２”および１４”の軟性で可撓性の材料とは対照的に剛性材料から形成され、放出端部２４”における４０（図１０）等の開口部において封止される。
【００３０】
図５および図６の実施形態に関し、出口弁２６”は、好ましくは、図１、図２、および図１０に図示する出口弁２６と同一である。具体的には、出口弁２６”は、好ましくは、第１の部分２６ａ（図１０）に類似または同一であり、放出端部２４”における４０（図１０）等の開口部内において封止される第１の部分２６ａ”と、かかり付き継ぎ手の形式をとり得る第２の管状部分２６ｂ”とを含み、また、出口弁２６”は、弁を開放および閉鎖するために設けられる回転可能フランジ２６ｃ”も有利に含み得る。この構成により、可撓性の管をかかり付き継ぎ手の上に挿入して、空洞２２”の含有物を回収デバイスに排出することができるように、第２の管状部分２６ｂ”が第１の部分２６ａ”から突出することを理解されたい。
【００３１】
出口弁２６”の第１の部分２６ａ”は、概して、４０等の開口部内に位置付けられ得る細長い断面を有し得る。空洞２２”の放出端部２４”における可撓性シート材料は、概して細長い第１の部分２６ａ”に封止され得る。さらに、出口弁２６”の第２の管状部分２６ｂ”は、概して円形の断面を有し得る。
【００３２】
本開示の特徴の理解に重要ではないが、排出可能パウチ１０、１０’、および１０”には、４２、４２’、および４２”等の連結フランジが適切に設けられることを、図１、図３、および図５から理解されたい。これらの連結フランジ４２、４２’、および４２”は、それぞれの排出可能パウチ１０、１０’、および１０”を身体に取り付けるために設けられ、それぞれの連結フランジ４２、４２’、および４２”を通る穴４４、４４’、および４４”が体内排泄物の排出のためのストーマと一致するようにする。より具体的には、排出可能パウチ１０、１０’、および１０”は、液体および半固体体内排泄物を収容するためのウロストミーパウチとして十分適切である。
【００３３】
本出願では、出口弁２６、２６’、および２６”は、典型的には、回収デバイスへの取り付けるために剛性材料から形成される。剛性材料は、適切なプラスチックを備え得るが、これにより、排出可能パウチ１０、１０’、および１０”のうちの１つを使用する人の皮膚に対する摩擦または皮膚内への掘削によって顕著な不快感が引き起こされる可能性がある。しかしながら、排出可能パウチ１０、１０’、および１０”は、出口弁を皮膚から隔離する方式を提供することによって、この問題を克服する。
【００３４】
排出可能パウチ１０（図１および図２）では、放出端部２４は、側壁１２を覆うように、概して長手方向軸３８に沿って、または長手方向軸３８に平行に折り畳まれる。次いで、第２の管状部分２６ｂおよび回転可能フランジ２６ｃは、スリット３２を通して挿入され、連結フランジ４２とは反対の排出可能パウチ１０の側面上に載置される。したがって、排出可能パウチ１０の外側の出口弁２６の部分は、連結フランジ４２とは反対であり、かつ使用中に皮膚と隣接する側壁１２とは反対である排出可能パウチ１０の側面に位置する（図１Ａおよび図２Ａ参照）。
【００３５】
排出可能パウチ１０’（図３および図４）では、放出端部２４’は、側壁１４’を覆うように、概して長手方向軸３８’に沿って、または長手方向軸３８’に平行に折り畳まれる。次いで、第２の管状部分２６ｂ’および回転可能フランジ２６ｃ’は、放出端部２４’に最も近接して位置する穴３２を通して、中央溶接ストリップ３８’の下に挿入され、次いで、放出端部２４’から最も遠くに位置する穴３２を通して挿入される。したがって、排出可能パウチ１０’の外側の出口弁２６’の部分は、概して、連結フランジ４２’を有する排出可能パウチ１０’の側面に対して奥まった位置にあるため、使用中に皮膚と隣接する側壁１２’に対して奥まった位置にある（図３Ａおよび図４Ａ参照）。
【００３６】
排出可能パウチ１０”（図５および図６）では、放出端部２４”は、側壁１２”を覆うように、概して長手方向軸３８”に沿って、または長手方向軸３８”に平行に折り畳まれる。次いで、第２の管状部分２６ｂ”および回転可能フランジ２６ｃ”は、スリット３２”を通して挿入され、連結フランジ４２”とは反対の排出可能パウチ１０”の側面上に載置される。したがって、排出可能パウチ１０”の外側の出口弁２６”の部分は、連結フランジ４２”とは反対であり、かつ使用中に皮膚と隣接する側壁１２”とは反対である排出可能パウチ１０”の側面に位置する（図５Ａおよび図６Ａ参照）。
【００３７】
前述の説明に加え、中央溶接領域３０、３０’、および３０”が、ある時間の間体内排泄物を蓄積した後に、嵩高性の出現を防止する役割を果たすことを理解されたい。中央溶接領域３０、３０’、および３０”は、薄い遮臭性かつ不透水性のフィルムから形成される通常平坦な側壁１２、１４；１２’、１４’；および１２”、１４”をそれぞれ共に保持する役割を果たす。空洞２２、２２’、および２２”が液体または半固体体内排泄物で充填される際、側壁１２、１４；１２’、１４’；および１２”、１４”は、体内排泄物が蓄積すると、それ以外の方法では起こりうる、外側への拡張を阻止される。これは、充填された排出可能パウチ１０、１０’、および１０”をそれぞれ図示する前面図および後面図である図１Ｂ、図２Ｂ、図３Ｂ、図４Ｂ、図５Ｂ、および図６Ｂを特に参照することによって理解される。結果として、中央溶接領域３０、３０’、および３０”は、嵩高性の出現を防止し、かつ剛性出口弁２６、２６’、および２６”を収容および固定するとともに、ユーザに対する不快感または痛みを排除する役割を果たす。
【００３８】
本開示のさらに追加の便益として、放出端部２４、２４’、および２４”の折り畳みにより、排出可能パウチ１０、１０’、および１０”がさらに大きくなることが可能になり、これは、放出端部２４、２４’、および２４”を前述のように折り畳むことができるからである。これにより、最初に、排出可能パウチ１０、１０’、および１０”がより小さな全体面積を有し、かつ空洞２２、２２’、および２２”が体内排泄物を収容する第１のより小さな容量を有するように、放出端部２４、２４’、および２４”を折り畳むことが可能になり、その後、ユーザが所望するのであれば、排出可能パウチ１０、１０’、および１０”がより大きな全体面積を有し、かつ空洞２２、２２’、および２２”が体内排泄物を収容する第２のより大きな容量を有するように、放出端部２４、２４’、および２４”を開けることが可能になる。出口弁２６、２６’、および２６”は、開いた後に皮膚に隣接し得るが、これは、体内排泄物を排出する必要になり得るまでの時間を延ばすために許容可能であり得る。
【００３９】
前述の説明では、本開示の代表的な実施形態について記載したが、添付の請求項の範囲および精神から逸脱することなく、本明細書に提示される詳細を、当業者が変更することができることを理解されたい。
【図１】
0005416771.tif 000002
【図１Ａ】
0005416771.tif 000003
【図１Ｂ】
0005416771.tif 000004
【図２】
0005416771.tif 000005
【図２Ａ】
0005416771.tif 000006
【図２Ｂ】
0005416771.tif 000007
【図３】
0005416771.tif 000008
【図３Ａ】
0005416771.tif 000009
【図３Ｂ】
0005416771.tif 000010
【図４】
0005416771.tif 000011
【図４Ａ】
0005416771.tif 000012
【図４Ｂ】
0005416771.tif 000013
【図５】
0005416771.tif 000014
【図５Ａ】
0005416771.tif 000015
【図５Ｂ】
0005416771.tif 000016
【図６】
0005416771.tif 000017
【図６Ａ】
0005416771.tif 000018
【図６Ｂ】
0005416771.tif 000019
【図７】
0005416771.tif 000020
【図８】
0005416771.tif 000021
【図９】
0005416771.tif 000022
【図１０】
0005416771.tif 000023